(57)【要約】【課題】  フラッシュメモリ装置の拡充装置と方法の提供。【解決手段】  コントロールユニット、メモリユニット、接続ユニット、操作ユニット、表示ユニット及び電源供給ユニットで組成され、二つの装置が接続ポートと接続ユニットにより接続され、第１メモリ装置の操作ユニットがそのコントロールユニットを通して第１メモリ装置及び第２メモリ装置中のメモリユニットのデータを読み取り、並びに第１メモリ装置中のメモリユニットのデータを接続ユニット及び第２メモリ装置のコントロールユニットにより第２メモリ装置中のメモリユニット中に保存するか、或いは第２メモリ装置中のメモリユニットのデータを第１メモリ装置中のメモリユニット中に保存する。これによりメモリ装置が容量を拡充し、並びに二つのメモリ装置がコンピュータを介さずにデータ交換を行なえる。【選択図】        図１
2006268721.tif 000002
【特許請求の範囲】
【請求項１】
フラッシュメモリ装置の拡充装置において、該フラッシュメモリ装置は、
ＵＳＢポート及びＯＴＧコントローラーチップを具えたコントロールユニットと、
上述のコントロールユニットに接続されてデータ保存の空間として用いられ、ＮＡＮＤ  Ｆｌａｓｈの形式とされるメモリユニットと、
上述のコントロールユニットに接続され、別のメモリ装置との接続に供される接続ユニットと、
上述のコントロールユニットに接続されて使用者がメモリ装置に命令を下すための操作インタフェースとされ、使用者がメモリ装置の具備する機能メニューを選択するのに供される操作ユニットと、
上述のコントロールユニットに接続され、操作ユニットを通して選択される機能メニューを表示する表示ユニットと、
該フラッシュメモリ装置を使用する時に必要な電力を提供する電源供給ユニットと、
を具えたことを特徴とする、フラッシュメモリ装置の拡充装置。
【請求項２】
請求項１記載のフラッシュメモリ装置の拡充装置において、メモリユニットにレジスタが接続されたことを特徴とする、フラッシュメモリ装置の拡充装置。
【請求項３】
フラッシュメモリ装置の拡充方法において、
ａ．二つのメモリ装置を、第１メモリ装置と第２メモリ装置となし、第２メモリ装置の接続ポートを第１メモリ装置の接続ユニットに接続するステップと、
ｂ．第１メモリ装置の表示ユニットがその検出した第２メモリ装置の状態を表示するステップと、
ｃ．第１メモリ装置の操作ユニットがそのコントロールユニットを通して第１メモリ装置中のメモリユニットのデータを読み取り、並びに第１メモリ装置の接続ユニットを通して第２メモリ装置中に進入し、並びに第２メモリ装置のコントロールユニットを利用し第２メモリ装置中のメモリユニットのデータを読み取り、第１メモリ装置の表示ユニットに読み取ったデータを表示するステップと、
ｄ．第１メモリ装置の操作ユニットがそのコントロールユニットを通して第１メモリ装置のメモリユニット中のデータを読み取った後、第１メモリ装置のメモリユニット中のデータを接続ユニット及び第２メモリ装置のコントロールユニットにより第２メモリ装置のメモリユニット中に保存するか、或いはこの方式で第２メモリ装置中のメモリユニットのデータを第１メモリ装置のメモリユニット中に保存するステップと、
を具えたことを特徴とする、フラッシュメモリ装置の拡充方法。
【発明の詳細な説明】
【技術分野】
【０００１】
本発明は一種のフラッシュメモリ装置の拡充装置と方法に係り、特にメモリ装置の容量を拡張させ、並びに二つのメモリ装置にコンピュータを介さずにデータ交換を行なわせるフラッシュメモリ装置の拡充装置と方法に関する。
【背景技術】
【０００２】
一般に周知のフラッシュメモリ装置は、映像、音声、文字、及び画像データの保存機能を有する。フラッシュメモリ装置がデータの保存及び読み取りを行なう時、或いは二つの異なるフラッシュメモリ装置内のデータを交換保存する時、そのＵＳＢコネクタとコンピュータを接続することでデータの伝送が行なえる。特に、二つの異なるフラッシュメモリ装置のデータを交換保存する時には、一方のフラッシュメモリ装置のデータをコンピュータに保存した後、もう一つのフラッシュメモリ装置をコンピュータに接続し、並びに先のフラッシュメモリ装置よりコンピュータに保存したデータをもう一つのフラッシュメモリ装置中に保存することで、二つの異なるフラッシュメモリ装置のデータの交換保存が行なわれる。一般にフラッシュメモリ装置の保存空間には一定の制限があり、このため使用できるメモリ空間の使用が完了すると、拡充は行なえず、このため使用上の不便がある。
【発明の開示】
【発明が解決しようとする課題】
【０００３】
本発明の主要な目的は、メモリ装置の容量を拡充し、並びに二つのメモリ装置にコンピュータを介さずにデータ交換を行なわせることにある。
【０００４】
本発明は一種のフラッシュメモリ装置の拡充装置と方法を提供し、それは、コントロールユニット、メモリユニット、接続ユニット、操作ユニット、表示ユニット及び電源供給ユニットで組成され、二つの装置が接続ポートと接続ユニットにより接続され、第１メモリ装置の操作ユニットがそのコントロールユニットを通して第１メモリ装置及び第２メモリ装置中のメモリユニットのデータを読み取り、並びに第１メモリ装置中のメモリユニットのデータを接続ユニット及び第２メモリ装置のコントロールユニットにより第２メモリ装置中のメモリユニット中に保存するか、或いは第２メモリ装置中のメモリユニットのデータを第１メモリ装置中のメモリユニット中に保存する。これによりメモリ装置が容量を拡充し、並びに二つのメモリ装置がコンピュータを介さずにデータ交換を行なえる。
【課題を解決するための手段】
【０００５】
請求項１の発明は、フラッシュメモリ装置の拡充装置において、該フラッシュメモリ装置は、
ＵＳＢポート及びＯＴＧコントローラーチップを具えたコントロールユニットと、
上述のコントロールユニットに接続されてデータ保存の空間として用いられ、ＮＡＮＤ  Ｆｌａｓｈの形式とされるメモリユニットと、
上述のコントロールユニットに接続され、別のメモリ装置との接続に供される接続ユニットと、
上述のコントロールユニットに接続されて使用者がメモリ装置に命令を下すための操作インタフェースとされ、使用者がメモリ装置の具備する機能メニューを選択するのに供される操作ユニットと、
上述のコントロールユニットに接続され、操作ユニットを通して選択される機能メニューを表示する表示ユニットと、
該フラッシュメモリ装置を使用する時に必要な電力を提供する電源供給ユニットと、
を具えたことを特徴とする、フラッシュメモリ装置の拡充装置としている。
請求項２の発明は、請求項１記載のフラッシュメモリ装置の拡充装置において、メモリユニットにレジスタが接続されたことを特徴とする、フラッシュメモリ装置の拡充装置としている。
請求項３の発明は、フラッシュメモリ装置の拡充方法において、
ａ．二つのメモリ装置を、第１メモリ装置と第２メモリ装置となし、第２メモリ装置の接続ポートを第１メモリ装置の接続ユニットに接続するステップと、
ｂ．第１メモリ装置の表示ユニットがその検出した第２メモリ装置の状態を表示するステップと、
ｃ．第１メモリ装置の操作ユニットがそのコントロールユニットを通して第１メモリ装置中のメモリユニットのデータを読み取り、並びに第１メモリ装置の接続ユニットを通して第２メモリ装置中に進入し、並びに第２メモリ装置のコントロールユニットを利用し第２メモリ装置中のメモリユニットのデータを読み取り、第１メモリ装置の表示ユニットに読み取ったデータを表示するステップと、
ｄ．第１メモリ装置の操作ユニットがそのコントロールユニットを通して第１メモリ装置のメモリユニット中のデータを読み取った後、第１メモリ装置のメモリユニット中のデータを接続ユニット及び第２メモリ装置のコントロールユニットにより第２メモリ装置のメモリユニット中に保存するか、或いはこの方式で第２メモリ装置中のメモリユニットのデータを第１メモリ装置のメモリユニット中に保存するステップと、
を具えたことを特徴とする、フラッシュメモリ装置の拡充方法としている。
【発明の効果】
【０００６】
本発明のフラッシュメモリ装置の拡充装置と方法は、メモリ装置に容量を拡充させ、並びに二つのメモリ装置にコンピュータを介さずにデータ交換の機能を具備させ、これにより本発明は進歩性、新規性、産業上の利用価値を有しており、使用者の必要に符合する。
【発明を実施するための最良の形態】
【０００７】
図１、２は本発明のメモリ装置の構成表示図及び使用状態表示図である。本発明のフラッシュメモリ装置の拡充装置と方法は、メモリ装置１の容量を拡充させ、並びに二つのメモリ装置１、１ａにコンピュータを介さずにデータ交換を行なわせる。該メモリ装置１は、コントロールユニット１１、メモリユニット１２、接続ユニット１３、操作ユニット１４、表示ユニット１５及び電源供給ユニット１６で組成されている。
【０００８】
上述のコントロールユニット１１は接続ポート１１１（ＵＳＢポート）及びＯＴＧコントローラーチップ１１２を具えている。
【０００９】
該メモリユニット１２は上述のコントロールユニット１１に接続され、データ保存の空間として用いられ、該メモリユニット１２はＮＡＮＤ  Ｆｌａｓｈの形式とされ、且つ該メモリユニット１２はレジスタ１２１に接続されている。
【００１０】
該接続ユニット１３は上述のコントロールユニット１１に接続され、別のメモリ装置１ａとの接続に供される。
【００１１】
該操作ユニット１４は上述のコントロールユニット１１に接続され、使用者がメモリ装置１に命令を下すための操作インタフェースとされ、使用者がメモリ装置１の具備する機能メニューを選択するのに供される。
【００１２】
該表示ユニット１５はコントロールユニット１１に接続され、操作ユニット１４を通して選択される機能メニューを表示する。
【００１３】
電源供給ユニット１６はメモリ装置１使用時に必要な電力を提供する。
【００１４】
本発明を運用する時は、以下のステップを包含する。
ａ．二つのメモリ装置を、第１メモリ装置１と第２メモリ装置１ａとなし、第２メモリ装置１ａの接続ポート１１１ａを第１メモリ装置１の接続ユニット１３に接続する。
ｂ．第１メモリ装置１の表示ユニット１５がその検出した第２メモリ装置１ａが接続成功の状態であるかを表示する。
ｃ．第１メモリ装置１の操作ユニット１４がそのコントロールユニット１１を通して第１メモリ装置１中のメモリユニット１２のデータを読み取り、並びに第１メモリ装置１の接続ユニット１３を通して第２メモリ装置１ａ中に進入し、並びに第２メモリ装置１ａのコントロールユニット１１ａを利用し第２メモリ装置１ａ中のメモリユニット１２ａのデータを読み取り、第１メモリ装置１の表示ユニット１５に読み取ったデータを表示する。
ｄ．第１メモリ装置１の操作ユニット１４がそのコントロールユニット１１を通して第１メモリ装置１のメモリユニット１２中のデータを読み取った後、第１メモリ装置１のメモリユニット１２中のデータを接続ユニット１３及び第２メモリ装置１ａのコントロールユニット１ａにより第２メモリ装置１ａのメモリユニット１２ａ中に保存するか、或いはこの方式で第２メモリ装置１ａ中のメモリユニット１２ａのデータを第１メモリ装置１のメモリユニット１２中に保存する。
【００１５】
このほか、第２メモリ装置１ａの接続ユニット１３ａに別の同様の構造を有するメモリ装置を接続することで、本発明は更に良好な容量拡充機能を具備する。
【図面の簡単な説明】
【００１６】
【図１】本発明のメモリ装置の構成表示図である。
【図２】本発明のメモリ装置の使用状態表示図である。
【符号の説明】
【００１７】
１、１ａ  メモリ装置
１１、１１ａ  コントロールユニット
１１１、１１１ａ  接続ポート
１１２  ＯＴＧコントローラーチップ
１２、１２ａ  メモリユニット
１２１  レジスタ
１３、１３ａ  接続ユニット
１４  操作ユニット
１５  表示ユニット
１６  電源供給ユニット
【図１】
2006268721.tif 000003
【図２】
2006268721.tif 000004